(57)【要約】      （修正有）【課題】摩耗による形状変化を抑制することができる緩急針、ムーブメント、及び時計を提供する。【解決手段】ひげぜんまい１７の角４５と、ひげ棒部４１及び、ひげ受部４２が接触するのを防ぐため、ひげ棒部４１及び、ひげ受部４２にひげぜんまい１７の長手方向の両端より内側に接触可能な突出部４３、４４を備えている。突出部４３、４４は、ひげぜんまい１７の中心線０３上に仮想中心４６，４７をもつ円弧形状をしており、ひげぜんまいの角４５との接触を防ぐようになっている。【選択図】図５
2018189614.tif 000002
【特許請求の範囲】
【請求項１】
ひげぜんまいの長手方向の両端より内側に接触可能な突出部を備えることを特徴とする緩急針。
【請求項２】
請求項１に記載の緩急針であって、
前記緩急針は、前記ひげぜんまいを挟み込んだ状態で備えられるひげ棒構造体を有し、
前記ひげ棒構造体に前記ひげぜんまいの両端より内側に接触可能な突出部が備えられることを特徴とする緩急針。
【請求項３】
請求項１に記載の緩急針であって、
前記緩急針は、ひげ棒とひげ受を備え、
前記ひげ棒又は前記ひげ受のうち少なくとも一つに前記ひげぜんまいの両端より内側に接触可能な突出部が備えられることを特徴とする緩急針。
【請求項４】
請求項１に記載の緩急針であって、
前記緩急針は、ひげ棒を２つ備え、
前記ひげ棒のうち少なくとも一つに前記ひげぜんまいの両端より内側に接触可能な突出部が備えられることを特徴とする緩急針。
【請求項５】
請求項１から４の何れか１項に記載の緩急針であって、
前記突出部には、前記ひげぜんまいの平面部と略平行な平面部を有することを特徴とする緩急針。
【請求項６】
請求項１から５の何れか１項に記載の緩急針であって、
前記突出部には、前記ひげぜんまいと多点接触可能な円弧部を有することを特徴とする緩急針。
【請求項７】
請求項１から６の何れか１項に記載の緩急針であって、
前記突出部は複数層の硬質表面処理で形成されることを特徴とする緩急針。
【請求項８】
請求項１から７の何れか１項に記載の緩急針であって、
前記突出部は貴石であることを特徴とする緩急針。
【請求項９】
請求項１から請求項８の何れか１項に記載の緩急針を備えていることを特徴とするムーブメント。
【請求項１０】
請求項９に記載のムーブメントを備えることを特徴とする時計。
【発明の詳細な説明】
【技術分野】
【０００１】
本発明は、緩急針、ムーブメント、及び時計に関する。
【背景技術】
【０００２】
機械式時計のてんぷは、振動周期が予め決められた規定値内に設定されていることが重要とされている。これは、振動周期が規定値からずれてしまうと、機械式時計の歩度（時計の遅れ、進みの度合い）が変化するためである。
【０００３】
歩度を調整するための方法として、内端部がてんぷのてん真に固定され、外端部がひげ持に固定されたひげぜんまいの有効長さを調節するいわゆる緩急針が知られている。緩急針は、ひげぜんまいを挟み込むひげ棒の位置を調整することにより、ひげぜんまいの有効長さ（例えば、てんぷの振動周期に影響を及ぼすひげぜんまいの長さ）を変化させ、てんぷの振動周期を調整するようになっている。このように調節されたひげぜんまいは、所定の振動周期で収縮を繰り返し、所定の周期で、ひげ棒に当接するようになっている（例えば、特許文献１）。
【先行技術文献】
【特許文献】
【０００４】
【特許文献１】特許第５３０８５４５号公報
【発明の概要】
【発明が解決しようとする課題】
【０００５】
しかしながら、特許文献１に記載された技術では、ひげぜんまいの端部とひげ棒とが接触を繰り返すと、ひげ棒が次第に摩耗し形状が変化してしまう。そして、ひげ棒の形状が変化すると、ひげぜんまいの有効長さが変わる結果、ひげぜんまいがひげ棒に当接する周期が変わってしまい、歩度が増加するなど悪影響を及ぼしてしまう。
ひげぜんまいと摩擦によって支持された部材（ひげ棒肩部）が、ひげぜんまいと接触し、次第に摩耗し形状が変化してしまう。ひげぜんまいを支持する部分の形状が変化してしまうと、予め調整したひげぜんまいの有効長さが変わってしまい、振動周期も変わる結果、歩度が増加してしまうという問題点があった。
【０００６】
本発明は、以上の問題点に鑑みてなされたものであり、摩耗を抑制することができる緩急針、ムーブメント、及び時計を提供することを目的とする。
【課題を解決するための手段】
【０００７】
本発明は、上記課題を解決するために以下の手段を提供する。
本発明に係る緩急針は、ひげぜんまいの両端より内側に接触可能な突出部を備えることを特徴とする。また、前記緩急針は、前記ひげぜんまいを挟み込んだ状態で備えられるひげ棒構造体を有し、前記ひげ棒構造体に前記ひげぜんまいの両端より内側に接触可能な突出部が備えられることを特徴とする。
この構成によれば、前記ひげぜんまいと、ひげ棒構造体との接触において、ひげぜんまいの角での接触を防ぎ、かかる部品の磨耗を抑制することができる。したがって、かかる部品の形状変化を防ぐことができる。
【０００８】
また、前記緩急針は、ひげ棒とひげ受を備え、前記ひげ棒又は前記ひげ受のうち少なくとも一つに前記ひげぜんまいの両端より内側に接触可能な突出部を備えても良い。
この構成によれば、前記ひげぜんまいと、前記ひげ棒又は、前記ひげ受との接触において、ひげぜんまいの角での接触を防ぎ、かかる部品の磨耗を抑制することができる。したがって、かかる部品の形状変化を防ぐことができる。
【０００９】
また、前記緩急針は、ひげ棒を２つ備え、前記ひげ棒のうち少なくとも一つに前記ひげぜんまいの両端より内側に接触可能な突出部を備えても良い。
この構成によれば、前記ひげぜんまいと、例えばひげを受けるひげ棒構造体等の緩急針を構成する部品との接触において、ひげぜんまいの角での接触を防ぎ、かかる部品の磨耗を抑制することができる。したがって、かかる部品の形状変化を防ぐことができる。さらに、時計内部に塵等の異物が発生することを防止できる。
【００１０】
また、前記突出部は、前記ひげぜんまいの平面部と略平行な平面部を有しても良い。
この構成によれば、前記ひげぜんまいと、例えばひげを受けるひげ棒構造体等の緩急針を構成する部品との接触において、ひげぜんまいの角での接触を防ぎ接触面積を増やすことができるので、かかる部品にかかる力が分散し、かかる部品の磨耗をより抑制することができる。したがって、かかる部品の形状変化を防ぐことができる。さらに、時計内部に塵等の異物が発生することを防止できる。
【００１１】
また、前記突出部には、前記ひげぜんまいと多点接触可能な円弧部を有しても良い
この構成によれば、前記ひげぜんまいと、例えばひげを受けるひげ棒構造体等の緩急針を構成する部品との接触において、ひげぜんまいの角での接触を防ぎ接触点を増やすことができるので、かかる部品にかかる力が分散し、かかる部品の磨耗をより抑制することができる。したがって、かかる部品の形状変化を防ぐことができる。さらに、時計内部に塵等の異物が発生することを防止できる。
【００１２】
また、前記突出部は複数層の硬質表面処理で形成されても良い。
この構成によれば、前記ひげぜんまいと、例えばひげを受けるひげ棒構造体等の緩急針を構成する部品との接触において、かかる部品の硬度が前記ひげぜんまいの硬度より大きくなり、かかる部品の磨耗をより抑制することができる。したがって、かかる部品の形状変化を防ぐことができる。さらに、時計内部に塵等の異物が発生することを防止できる。
【００１３】
また、前記突出部は貴石であっても良い。
この構成によれば、前記ひげぜんまいと、例えばひげを受けるひげ棒構造体等の緩急針を構成する部品との接触において、かかる部品の硬度が前記ひげぜんまいの硬度より大きくなり、かかる部品の磨耗をより抑制することができる。したがって、かかる部品の形状変化を防ぐことができる。さらに、時計内部に塵等の異物が発生することを防止できる。
【００１４】
本発明に係るムーブメントは、上記本発明の緩急進を備えていることを特徴とする。
本発明に係る時計は、上記本発明のムーブメントを備えていることを特徴とする。
この構成によれば、上記本発明の緩急針を備えているため、例えばひげを受けるひげ棒構造体等の緩急針を構成する部品の形状変化を抑制し、歩度の精度が高いムーブメント及び時計を提供することができる。
【発明の効果】
【００１５】
本発明によれば、摩耗を抑制することができる緩急針、ムーブメント、及び時計を提供することができる。
【図面の簡単な説明】
【００１６】
【図１】時計の外観図である。
【図２】ムーブメントを表側から見た平面図である。
【図３】第１実施形態に係るてんぷを表側から見た平面図である。
【図４】図３に示すA-A線に沿ったてんぷユニットの断面図である。
【図５】第１実施形態に示す緩急針の断面図である。
【図６】歩度調節の種類と、その種類に応じたひげぜんまいとひげ棒及び、ひげ受部の位置関係を示す図である。
【図７】ひげぜんまいが傾いた際のひげぜんまいと、ひげ棒及び、ひげ受部との位置関係を示す図である。
【図８】第２実施形態に示す緩急針の断面図である。
【図９】第３実施形態に示す緩急針の断面図である。
【図１０】平行部を設けた突出部と、ひげぜんまいの位置関係を示す図である。
【図１１】多点接触部を設けた突出部と、ひげぜんまいの位置関係を示す図である。
【発明を実施するための形態】
【００１７】
以下、図面を参照して、本発明に係る一実施形態について説明する。なお、以下に説明する実施の形態は、本発明の緩急針を備えるムーブメントが組み込まれた時計に適用した場合の実施形態である。
なお、以下に示す図面において同一の部材番号を付した部材は、少なくとも同一の機能、作用、又は効果を示すものとする。
１．第１実施形態
[時計]
図１を参照して、本発明のひげぜんまい調整機構を備えるムーブメントが組み込まれた時計について説明する。
まず、図１を参照して、本発明のひげぜんまい調整機構を備えるムーブメントが組み込まれた時計の外観について説明する。
図１は、本発明のひげぜんまい調整機構を備えるムーブメントが組み込まれた時計の外観を示す図である。
図１に示すように、本発明の時計１は、ケース蓋（不図示）及びガラス２を有する時計ケース３内に、ムーブメント８や、時刻に関する情報を示す目盛り等を有する文字板４、各種指針（時針５、分針６及び秒針７）等が組み込まれて構成されている。
【００１８】
[ムーブメント]
次に、図２を参照して、本発明のムーブメントについて説明する。
図２は、ムーブメント８を表側から見た平面図である。なお、図２では、図面を見やすくするため、ムーブメント８を構成する時計用部品のうち一部の図示を省略しているとともに、各時計用部品を簡略化して図示している。また、以下の説明では、ムーブメント８の基板を構成する地板１０に対して時計ケース３のガラス２側（文字板４側）をムーブメント８の「裏側」と称し、ケース蓋側（文字板４側とは反対側）をムーブメント８の「表側」と称する。
【００１９】
図２に示すように、ムーブメント８は、地板１０と、香箱車、二番車、三番車及び四番車を含む図示しない表輪列と、表輪列の回転を制御するための脱進調速機１１等と、を備えている。なお、図示のムーブメント８は、回転錘１２を備えた自動巻式時計用を例にしている。但し、この場合に限定されるものではなく、巻真９による手巻き式時計用のムーブメント８であっても構わない。
上述した表輪列のうち、四番車には上述した秒針７が取り付けられ、二番車には分針６が取り付けられる。また、二番車の回転に伴って回転する筒車に、上述した時針５が取り付けられる。
【００２０】
脱進調速機１１は、四番車に噛み合う図示しないがんぎ車と、がんぎ車を脱進させる図示しないアンクルと、一定周期で規則正しく動作するてんぷ１３と、を備えている。
【００２１】
次に、図３及び図４を参照して、本発明のてんぷについて説明する。
図３はてんぷ１３を表側から見た平面図であり図４は図３のA−A線に沿う断面図である。
図３に示すように、てんぷ１３は、てんぷ１３の中心軸０１周りに回転自在とされたてん真１４と、てん真１４を軸支する軸受１５と、てん真１４に取り付けられたてん輪１６と、てん真１４とてん輪１６との間に配置されたひげぜんまい１７と、中心軸０１周りに回転可能とされたひげ持受１８と、中心軸０１周りに回転可能とされた緩急針１９とを備えている。
なお、以下の説明では、中心軸０１に沿う方向を軸方向といい、中心軸０１に直交する方向を径方向といい、中心軸０１周りに周回する方向を周方向という場合がある。
【００２２】
てん真１４は、ひげぜんまい１７から伝えられた動力によって中心軸０１周りに一定の振動周期で正逆回動する。てん真１４は、軸方向における一端部（表側端部）が軸受１５を介しててんぷ受２０に支持され、他端部（裏側端部）が地板１０（図２参照）に形成された図示しない軸受に支持されている。てん真１４の他端部には、上述したアンクルに連係する筒状の振り座２１（図４参照）が外装されている。
【００２３】
てんぷ受２０は、軸方向から見た平面視で円弧状とされ、時計ケース３の形状に合わせて延在している。具体的に、てんぷ受２０は、延在方向の一端側（緩急針１９とは反対側）に位置するとともに、地板１０に取り付けられる取付基部２２と、取付基部２２から延在方向の他端側（緩急針１９側）に向けて突設された台座プレート２３と、を有している。
取付基部２２には、軸方向に貫通する取付孔２４が複数形成されている。てんぷ受２０は取付孔２４内に各別に挿通された固定ねじ２５（図２参照）を介して地板１０に固定されている。
台座プレート２３は、取付基部２２に対して裏側に一段下がって形成されている。台座プレート２３には、軸受１５を保持する軸受筒部２６（図４参照）が中心軸０１と同軸上に形成されている。
【００２４】
軸受１５は、いわゆる耐振軸受であって、軸受枠２７と、軸受枠２７内に取り付けられ、てん真１４の一端部を回転可能に支持する穴石２８と、穴石２８に重ねて配置され、てん真１４の一端部を表側から支持する受石２９と、受石２９に重ねて配置され、受石２９をてん真１４に向けて付勢する図示しない受石押さえばねと、を備えている。なお、軸受１５の構成は一例であり、てん真１４を回転可能に支持できる構成であれば、適宜設計変更が可能である。
【００２５】
軸受枠２７は、中心軸Ｏ１と同軸上に配置されるとともに、軸方向における一端部が他端部に比べて拡径された多段筒状とされている。軸受枠２７は、その他端部が台座プレート２３の上述した軸受筒部２６内に表側から圧入されることで、てんぷ受２０に固定されている。
【００２６】
図４に示すように、てん輪１６は、てん真１４に圧入等によって固定されたハブ部３０と、ハブ部３０を径方向の外側から囲繞する環状のリム部３１と、これらハブ部３０及びリム部３１間を連結する連結部３２と、を備えている。
【００２７】
図３、図４に示すように、ひげ持受１８は、軸方向から見た平面視で略Ｃ字状を呈し、台座プレート２３の軸受筒部２６に外嵌されている。ひげ持受１８は、所定の回転トルクを付与したときに軸受筒部２６に対してスリップし、中心軸０１周りに回転可能とされている。
ひげ持受１８は、径方向の外側に向けて延在し、その先端部でひげ持３３を保持する一対のひげ持アーム３４を有している。各ひげ持アーム３４は、周方向に間隔を配設され、ひげ持３３を挟持している。
【００２８】
ひげぜんまい１７は、ある一点を起点として、アルキメデス曲線に沿うように拡径しながら巻回されており、軸方向から見た平面視で渦巻状の平ひげである。ここで、ひげぜんまい１７の形状のうち、起点側の点を内端部、終点側の点を外端部と定義する。
ひげぜんまい１７は、その内端部がひげ玉３５（図４参照）を介して、てん真１４に連結され、外端部が上述したひげ持３３に連結されている。なお、ひげぜんまい１７の外端部は径方向の外側に膨出した弧状部とされている。
【００２９】
＜緩急針＞
次に、図３、図４を参照して、本発明の緩急針について説明する。
図３、図４に示すように、緩急針１９は、中心軸０１周りに回転可能な緩急針体３６と、緩急針体３６に保持されたひげ棒ユニット３７と、を備えている。
【００３０】
緩急針体３６は、上述した軸受枠２７の一端部（軸受筒部２６から突出した部分）に回転可能に外嵌されたベース部３８と、ひげ棒ユニット３７を保持する一対の保持アーム３９を備えている。
【００３１】
ベース部３８は、軸方向から見た平面視でＣ字状を呈している。緩急針体３６は、所定の回転トルクを付与したときに軸受枠２７に対してスリップし、中心軸０１周りに回転する。
保持アーム３９は、ベース部３８から径方向の外側に向けて突設されている。各保持アーム３９は、周方向に間隔をあけて配設され、互いに接近離間する方向に弾性変形可能とされている。
【００３２】
次に、図４、図５を参照して、本発明のひげ棒ユニットについて説明する。
まず、図４を参照して、本発明のひげ棒ユニットの概要について説明する。
図４に示すように、ひげ棒ユニット３７は、緩急針体３６の保持アーム３９に挟持された軸体４０と、軸体４０からひげぜんまい１７側（裏側）に向けて二又状に延びるひげ棒部４１及び、ひげ受部４２と、を備えている。
軸体４０は、中心軸０１に対して平行な軸線０２に沿って延びる柱状とされ、保持アーム３９間において、径方向に移動可能で、かつ軸線０２周りに回転可能に挟持されている。
【００３３】
ひげ棒部４１及び、ひげ受部４２は、ひげぜんまい１７の外端部のうち、上述したひげ持３３よりも内端部寄りに位置する部分に対して径方向に隙間をあけた状態で、ひげぜんまい１７を挟んで径方向で対向している。具体的に、ひげぜんまい１７のうち、径方向の内側にひげ棒部４１が配置され、径方向の外側にひげ受部４２が配置されている。ひげぜんまい１７は、その外端部がひげ棒部４１とひげ受部４２との間で径方向に振動可能、かつひげ棒部４１とひげ受部４２に接触可能とされている。
【００３４】
次に、図５を参照して、本実施形態のひげ棒ユニットの詳細について説明する。
図５は本実施形態にかかる緩急針の側面図である。
一般的なひげ棒ユニットでは、ひげ棒部及び、ひげ受部は高速で収縮運動を行うひげぜんまいと接触する為、摩耗が発生し、ひげ棒部及び、ひげ受部の形状が変化してしまう。特に外乱の影響により、ひげぜんまいの角とひげ棒部及び、ひげ受部が接触してしまう場合、接触応力が大きくなり、ひげ棒部及び、ひげ受部の摩耗量も多くなる。
【００３５】
そのため、本発明では、図５に示すように、ひげぜんまいの角４５と、ひげ棒部４１及び、ひげ受部４２が接触するのを防ぐため、ひげ棒部４１及び、ひげ受部４２にひげぜんまい１７の長手方向の両端より内側に接触可能な突出部４３、４４を備えている。
【００３６】
具体的には、突出部４３、４４は、ひげぜんまいの中心線０３上に仮想中心４６，４７をもつ円弧形状をしており、ひげぜんまいの角４５との接触を防ぐようになっている。
【００３７】
ここで、歩度調節の種類と、ひげぜんまい１７の収縮運動時における、ひげぜんまいと１７と、突出部４３、４４の位置関係について、図６及び図７を用いて説明する。
図６は、歩度調節の種類と、その種類に応じたひげぜんまい１７の収縮運動時におけるひげぜんまい１７と、突出部４３、４４の位置関係を示す図である。
【００３８】
まず、図６を用いて、歩度調節の種類について説明する。
機械式時計では、仕様を満たす歩度を調整することが行われる。歩度調節には緩急針１９を回転させて行う粗調整とひげ棒ユニット３７を回転させて行う微調整がある。
粗調整では、緩急針１９をてんぷの中心軸０１周りに回転させ、ひげ棒部４１及び、ひげ受部４２の位置をひげぜんまい１７の長さ方向（ひげぜんまいの周方向）に移動させる。これにより、ひげぜんまい１７が振動する際の有効長さ（ひげぜんまいの内端部と、ひげぜんまいとひげ棒部及び、ひげ受部との接触部分と、の間の長さ）を調整することができ、歩度が調整される。
【００３９】
微調整ではひげ棒ユニット３７を中心軸０２中心に回転させる。これにより、ひげぜんまい１７とひげ棒部４１及びひげ受部４２の接触方法を調節することができ、歩度が調節される。そして、歩度が調整されると、その状態に応じて、ひげぜんまい１７とひげ棒部４１及び、ひげ受部４２の位置関係が決まる。
【００４０】
そして、このように調整される歩度調節の種類として、図６に示すように、片あおり、両あおり、あおり止めの三種類があり、ひげぜんまいの平等時性によって調節方法を使い分けている。
【００４１】
次に、図６を用いて、ひげぜんまい１７の収縮運動時におけるひげぜんまい１７と、突出部４３、４４の位置関係について説明する。
図６において、収縮とはひげぜんまい１７が最も収縮した状態を示し、中立初期とはひげぜんまい１７が自然長状態（てんぷの振り角が０度の時のひげぜんまい１７の状態）を示し、拡大とはひげぜんまい１７が最も拡径した状態を示す。
ここで、図６の片あおりでは、ひげぜんまいの収縮時に、ひげ棒部４１とひげぜんまい１７が接触し、ひげぜんまいの中立初期、拡大時には、ひげぜんまいとひげ棒部４１及び、ひげ受部４２は接触しない。
また、両あおりでは、ひげぜんまいの収縮時には、ひげ棒部４１とひげぜんまい１７が接触し、ひげぜんまいの中立初期時には、ひげぜんまいとひげ棒部４１及び、ひげ受部４２は接触せず、ひげぜんまいの拡大時にはひげ受部４２とひげぜんまい１７が接触する。
最後に、あおり止めでは、ひげぜんまいの収縮、中立初期、拡大時に、ひげ棒部４１とひげぜんまい１７が常に接触している。
【００４２】
ここで、さらに、図６及び７を用いて、あおり止めに調整されたひげぜんまい１７の収縮運動時における、ひげぜんまい１７と、突出部４３、４４の位置関係について説明する。ここで、図７は、外乱などでひげぜんまいが傾いた際のひげぜんまい１７と、ひげ棒部４１及び、ひげ受部４２との位置関係を示す図である。
【００４３】
図６のあおり止め欄は、あおり止めに調整されたひげぜんまい１７の収縮運動時における、ひげぜんまい１７と、突出部４３、４４の位置関係を示している。
あおり止めでは、図６のあおり止めの欄に示されるように、ひげぜんまい１７の収縮運動期間中、常にひげ棒部４１にひげぜんまい１７が接触する。常に接触することによって、ひげぜんまいの有効長さをひげぜんまいの内端部からひげぜんまいとひげ受部４２の接触部分に調整することができる。
【００４４】
この際に、突出部４３の円弧部分が、ひげぜんまいの平面部に当接することでひげぜんまいの角４５がひげ棒部４１と接触することを防止している。
また、図７に示すように、外乱などでひげぜんまいが傾いた際にも、突出部４３の円弧部分が、ひげぜんまいの平面部に当接するので、ひげぜんまいの角１７とひげ棒部４１接触を防止している。
片あおり、両あおりの際も同様に、ひげぜんまい１７がひげ棒部４１及びひげ受部４２と接触する際には、突出部４３、４４がひげぜんまいの平面部に当接することでひげぜんまいの角４５がひげ棒部４１及び、ひげ受部４２と接触することを防止している。
なお、片あおりに調節された場合には、ひげぜんまい１７の拡大時に、ひげ受部４２とひげぜんまい１７が接触することとなるが、この場合にも、ひげぜんまいの角４５とひげ棒部４１、又はひげ受部４２の接触を防止することができることとなる。
【００４５】
以上説明したように、本発明によれば、ひげぜんまいと、例えばひげを受けるひげ棒構造体等の緩急針を構成する部品との接触において、ひげぜんまいの角での接触を防ぎ、かかる部品の磨耗を抑制することができる。したがって、かかる部品の形状変化を防ぐことができる。さらに、時計内部に塵等の異物が発生することを防止できる。
なお、本実施形態では、径方向の内側にひげ棒部４１が配置され、径方向の外側にひげ受部４２が配置されているが、径方向の外側にひげ棒部４１が配置され、径方向の内側にひげ受部４２を配置するようにしてもよい。また、突出部はひげ棒部４１及び、ひげ受部４２のどちらか一方でも良い。
【００４６】
２．第２実施形態
次に、図８を用いて、本発明の第２実施形態について説明する。
図８は第２実施形態にかかる緩急針２０１の側面図である。
図８に示すように、本実施形態にかかる緩急針２０１は緩急針体２０２と、緩急針体２０２に保持されたひげ棒２０３とひげ受２０４を供えている。
【００４７】
ひげ棒２０３及び、ひげ受２０４は、ひげぜんまい２０５の外端部よりも内端部寄りに位置する部分に対して径方向に隙間をあけた状態で、ひげぜんまい２０５を挟んで径方向で対向している。具体的に、ひげぜんまい２０５のうち、径方向の内側にひげ棒２０３が配置され、径方向の外側にひげ受２０４が配置されている。ひげぜんまい２０５は、その外端部がひげ棒２０３とひげ受２０４との間で径方向に振動可能、かつひげ棒２０３とひげ受２０４に接触可能とされている。
【００４８】
さらに、図８に示すように、ひげ受は緩急針体２０２に支持された軸体２０６と軸体から伸びひげぜんまいはずれ防止のための受部２０７を供えている。
ひげ棒２０３は、緩急針２０１に垂直な軸線０４を中心とした柱状とされひげ受２０４は軸線０４に平行な軸線０５に沿って伸びる柱状とされている。
【００４９】
そして、ひげ棒２０３及びひげ受２０４は、緩急針体２０２とともに、径方向（例えば、図１の中心軸０１）に移動可能で、かつ、ひげ受２０４は、軸線Ｏ４周りに回転可能に挟持されている。
【００５０】
本実施形態では、図８に示すように、ひげぜんまいの角２０８と、ひげ棒２０３及び、ひげ受２０４が接触するのを防ぐため、ひげ棒２０３及び、ひげ受２０４にひげぜんまい２０５の長手方向の両端より内側に接触可能な突出部２０９、２１０を備えている。
ひげ棒２０３及び、ひげ受２０４の突出部２０９、２１０は、ひげぜんまいの中心線０６上に仮想中心２１１、２１２をもつ円弧形状をしており、ひげぜんまいの角２０８との接触を防ぐようになっている。
【００５１】
ひげぜんまい２０５がひげ棒２０３及び、ひげ受２０４と接触する際には、突出部２０９、２１０がひげぜんまい２０５の平面部に当接することでひげぜんまい２０５の角２０８がひげ棒２０３及び、ひげ受２０４と接触することを防止し、かかる部品の磨耗を抑制することができる。したがって、かかる部品の形状変化を防ぐことができる。さらに、時計内部に塵等の異物が発生することを防止できる。
【００５２】
なお、本実施形態では、径方向の内側にひげ棒２０３が配置され、径方向の外側にひげ受２０４が配置されているが、径方向の外側にひげ棒２０３が配置され、径方向の内側にひげ受２０４を配置するようにしてもよい。また、突出部はひげ棒２０３及び、ひげ受２０４のどちらか一方でも良い。
【００５３】
３．第３実施形態
次に、図９を用いて、本発明の第３実施形態について説明する。
図９は第３実施形態にかかる緩急針３０１の側面図である。
本実施形態にかかる緩急針３０１は、緩急針体３０２と、緩急針体３０２に保持された二つのひげ棒３０３、３０４を供えている。
【００５４】
二つのひげ棒３０３、３０４は、ひげぜんまい３０５の外端部よりも内端部寄りに位置する部分に対して径方向に隙間をあけた状態で、ひげぜんまい３０５を挟んで径方向で対向している。
ひげぜんまい３０５は、その外端部が二つのひげ棒３０３、３０４間で径方向に振動可能、かつ二つのひげ棒３０３、３０４と接触可能とされている。
ひげ棒３０３、３０４は、緩急針３０１に垂直な軸線０７、０８を中心とした柱状とされ、緩急針体３０２とともに、径方向（例えば、図１の中心軸０１）に移動可能に挟持されている。
【００５５】
本実施形態では、図９に示すように、ひげぜんまいの角３０６と、ひげ棒３０３、３０４が接触するのを防ぐため、ひげ棒３０３、３０４にひげぜんまい３０５の長手方向の両端より内側に接触可能な突出部３０７、３０８を備えている。
ひげ棒の突出部３０７、３０８は、ひげぜんまい３０５の中心線０９上に仮想中心３０９、３１０をもつ円弧形状をしており、ひげぜんまいの角３０６との接触を防ぐようになっている。
【００５６】
ひげぜんまい３０５がひげ棒３０３、３０４と接触する際には、突出部３０７、３０８がひげぜんまい３０５の平面部に当接することでひげぜんまいの角３０６がひげ棒３０９、３１０と接触することを防止し、かかる部品の磨耗を抑制することができる。したがって、かかる部品の形状変化を防ぐことができる。さらに、時計内部に塵等の異物が発生することを防止できる。
なお、本実施形態では突出部はひげ棒３０３、３０４のどちらか一方でも良い。
【００５７】
なお、本発明の技術範囲は上述した実施形態に限定されるものではなく、本発明の趣旨を逸脱しない範囲において種々の変更を加えることが可能である。
例えば、図１０に示すように、突出部４０１、４０２に直線形状４１０、４２０を設けてもかまわない。ただし、直線形状はひげぜんまいの平面部並行であり、平面部長さよりも短いものとする。
また、図１１に示すように、突出部５０１、５０２の形状にはひげぜんまいとの接触部を複数設けたもの５１０、５２０を適用してもかまわない。ただし、接触部は円弧形状をしており、接触点はひげぜんまい平面部に限定する。
さらに、突出部は硬質表面処理の積層で形成してもかまわない。また、突出部はルビーやジルコニア等の貴石でもかまわない。
その他、本発明の趣旨を逸脱しない範囲で、上述した実施形態における構成要素を周知の構成要素に置き換えることは適宜可能であり、また、上述した各変形例を適宜組み合わせても構わない。
【符号の説明】
【００５８】
１…時計
１０…ムーブメント
１７、２０５、３０５…ひげぜんまい
２５、２０１、３０１…緩急針
３７…ひげ棒ユニット
４１…ひげ棒部
４２…ひげ受部
２０３、３０３、３０４…ひげ棒
２０４…ひげ受
４３、４４、３０７、３０８、４０１、４０２…突出部
４５、２０８、３０６…ひげぜんまいの角
【図１】
2018189614.tif 000003
【図２】
2018189614.tif 000004
【図３】
2018189614.tif 000005
【図４】
2018189614.tif 000006
【図５】
2018189614.tif 000007
【図６】
2018189614.tif 000008
【図７】
2018189614.tif 000009
【図８】
2018189614.tif 000010
【図９】
2018189614.tif 000011
【図１０】
2018189614.tif 000012
【図１１】
2018189614.tif 000013